(57)【特許請求の範囲】
【請求項１】
内容物を充填した容器と、該容器に嵌着される中蓋と、該中蓋に嵌着されるキャップとからなる内容物押出容器であって、
前記中蓋は、容器口部に嵌着される円筒部と、注出筒を立設した蓋板とを具備し、
円筒部の外周には、突起を設けた段部と、キャップを嵌着させる縮径部が設けられており、
前記キャップは、中央部を注出筒口部を密封する閉塞部とし、その外側に閉塞部より薄肉に形成された環状の可撓部を設けた頂板と、中蓋の縮径部に嵌着される円筒部とを具備し、中蓋への嵌着時に、円筒部下端と、中蓋の段部との間に隙間が形成されていることを特徴とする内圧上昇を防止するようにした内容物押出容器。
【請求項２】
内容物が発酵性食品であって、内容物から発生するガスを抜くようにしたことを特徴とする請求項１記載の内容物押出容器。
【発明の詳細な説明】
【０００１】
【発明の属する技術分野】
本発明は、内容物押出容器、とくに温度変化による内圧の変化や、内容物の変化、発酵等により発生するガスによる内圧上昇を防止するようにした押出容器に関する。
【０００２】
【従来の技術】
内容物の気体の圧力が上昇したときに、注出孔の閉塞部を押し上げて内圧が抜けるようにした内容液注出容器は、例えば実公平７−２００４２号公報にも記載されているよう従来より知られている。
上記公報に記載されている容器では、図４に示すように、容器３１の口部３２に注出孔３３を設け、キャップ３４の上面に前記注出孔３３を閉塞する可撓性のある注出孔閉塞部３５を形成している。
【０００３】
【発明が解決しようとする課題】
しかしながら、上記閉塞部３５は、ほぼ一様な厚さで下方に突出した球面となっているので、内圧の微細な変化に対応して内圧を抜くという点では不十分さが残されていた。
【０００４】
また、内容物が食品である場合には、押出し容器として、内容物の充填を容易にするために比較的大きい口径の容器を採用しており、内容物を適量ずつ注出するために、容器口筒部に注出筒を設けた中蓋を嵌着し、その上から注出孔を密封するキャップで被嵌している。
【０００５】
容器には、普通には殺菌した内容物を充填しているが、開封後に残存する発酵菌によって発酵が進行したり、また温度上昇により発酵が進行することもあった。
また、内容物によっては保存期間中にも発酵を進行させる場合がある。
発酵によりガスが発生すると、内圧が上昇して容器が膨張変形したり、キャップを取り外した時に内圧により内容物が注出孔から噴出するというような問題が生じる。
【０００６】
しかしながら、内容物として食品を充填した押出容器においては、発酵などにより発生するガスを抜くようにする容器は従来なかった。
前記公報に記載されている従来の容器では、注出孔３３と容器３１が一体に形成されるようブロー成形されているので、注出孔３３の径は比較的大きくなり、容器を押圧して内容物を適量ずつ注出する食品用容器には不向きであった。
また、注出孔３３を小さくすると、同じ内圧であっても押上げ力が小さくなり、発酵によるわずかなガス圧の増加に対応するには不十分であるという問題も生じてきた。
【０００７】
本発明は、前記の問題点を解決することを技術的課題とし、温度変化や内容物の変化による僅かな内圧の上昇にも鋭敏に反応して内圧を抜き、また内容物が食品の場合には、容器を押圧して内容物を適量ずつ注出するとともに、内容物の変化、発酵によるガスの発生に対しても、ガス抜きが簡単に行われるようにした内圧上昇を防止する押出容器を提供することを目的とする。
【０００８】
【課題を解決するための手段】
本発明は、上記の目的を達成するため、内容物押出容器として、内容物を充填した容器と、該容器に嵌着される中蓋と、該中蓋に嵌着されるキャップとからなる内容物押出容器であって、前記中蓋は、容器口部に嵌着される円筒部と、注出筒を立設した蓋板とを具備し、円筒部の外周には、突起を設けた段部と、キャップを嵌着させる縮径部が設けられており、前記キャップは、中央部を注出筒口部を密封する閉塞部とし、その外側に閉塞部より薄肉に形成された環状の可撓部を設けた頂板と、中蓋の縮径部に嵌着される円筒部とを具備し、中蓋への嵌着時に、円筒部下端と、中蓋の段部との間に隙間が形成されていることを特徴とする内圧上昇を防止するようにした容器を採用する。
【０００９】
【発明の実施の形態】
次に本発明の実施形態について、図面１〜３を参照して説明する。
図において、Ａは、ブロー成形により成形された食品用の容器であって、容器胴部１と容器口筒部２とからなっている。
容器口筒部２の外周には、ネジ３が設けられており、口筒部上方は、縮径部４となっており、上端にフランジ５が形成されている。
【００１０】
Ｂは、射出成形により成形された中蓋であって、前記口筒部２に嵌着される円筒部６と、蓋板７と、該蓋板７から突出する注出筒８とからなっている。
前記円筒部６の外周には、段部９が形成され、その上方は縮径部１０となっており、該縮径部１０の外周にはネジ１１が設けられている。
また、段部９にはわずかに突出する突起１２が設けられている。
円筒部６の内周には、容器口筒部２に設けられたネジ３に螺合するネジ１３が設けられ、中蓋を容器口筒部２に嵌着するとともに、蓋板７をフランジ５に密着させ、容器を密封するようにしている。
前記注出筒８の上端は、口部１４となっており、注出孔１５を通じて容器内部と連通している。
【００１１】
Ｃは、射出成形により成形されたキャップであり、円筒部１６と頂板１７とからなっている。
円筒部１６の内周には、中蓋Ｂの縮径部１０外周に設けられたネジ１１に螺合するネジ１８が設けられている。
キャップの頂板１７には、注出筒８の口部１４に係合する中央部の閉塞部１９と中央部より薄肉の環状の可撓部２０が形成されている。
頂板１７の閉塞部１９は、薄肉の可撓部２０があることにより、自由状態の初期位置１９ａと、図３（ｂ）に示す突き上げ位置と、内圧によりさらに押上げられた押上げ位置とに移動可能となっている。
【００１２】
次に、本発明の作用効果について説明すると、容器の開封後、容器口筒部２に中蓋Ｂを嵌着し、キャップＣを外して容器Ａを押圧すると一定量の内容物が中蓋の注出筒口部１４から押し出される。
使用後に、キャップＣを中蓋Ｂに取着し、締め付けると、キャップの円筒部１６下端２１が中蓋Ｂに形成された突起１２に係合し、段部９と円筒部下端２１の間に隙間２２が形成される。と同時に頂板中央の閉塞部１９が、初期位置から注出筒口部１４によって僅かに突き上げられ、内容物を密封する。
【００１３】
内容物の変化、発酵等によりガスが発生して容器Ａの内圧が高まると、僅かな内圧増によっても閉塞部１９が押し上げられて注出筒口部１４との間に隙間が形成され、該隙間よりガスが吐出される。  ガスの吐出に応じて、キャップ内の空気がネジ部分を通過してキャップ下端２１と中蓋段部９との間に形成された隙間２２より大気中に放散される。
ガスが吐出された後には、頂板１７が復元され、閉塞部１９により再び注出筒口部１４が密封される。
開封後に、キャップＣを嵌着したまま誤って容器Ａを押圧した時には、閉塞部１９が押し上げられ、内容物が注出筒口部１４より吐出されるが、閉塞部１９の押し上げは極僅かであり、内容物の粘性により隙間が密封され、続けて吐出されることはない。
【００１４】
内容物が、押し出され容器中の空間が広くなると、温度変化に応じて内圧が高くなることもあるが、その時には内圧により閉塞部１９が押し上げられ、容器内の空気が注出筒口部１４から吐出される。
【００１５】
上記実施形態では、発酵によりガスを発生する食品を内容物とする食品用容器について説明したが、本発明は容器の内圧上昇を防止することを目的とし、食品、非食品を問わず、温度変化、内容物の変化その他の原因により内圧が上昇する押出容器にも適用できるものであるから、押出容器として食品用容器に限定されないことは言うまでもない。
【００１６】
【発明の効果】
本発明は、上記のように構成されているから、次の効果を奏する。
キャップの頂板に、注出筒口部を密封する閉塞部と薄肉の環状可撓部を設けたので、温度変化や内容物の変化による僅かな内圧の上昇にも鋭敏に反応して内圧上昇を防止することができ、容器が膨張変形することが阻止される。
内容物が食品の場合には、内容物の変化、発酵等によりガスが発生し、内圧が高まるときには、注出筒口部よりガスが吐出され、容器が膨張変形することとともに内容物が注出筒口部から噴出することが阻止される。
また、注出筒口部は、閉塞部により密封されているので、開封後の保存期間中に雑菌が入ることはない。
【図面の簡単な説明】
【図１】本発明の内容物押出容器の斜視図である。
【図２】押出容器の一部断面正面図である。
【図３】図（ａ）は、キャップの底面図、図（ｂ）は、キャップ嵌着時におけるキャップと中蓋注出筒の要部拡大図である。
【図４】従来の内容液注出容器である。
【符号の説明】
Ａ      容器
Ｂ      中蓋
Ｃ      キャップ
８      注出筒
１４      注出筒口部
１６      円筒部
１７      頂板
１９      閉塞部
２０      環状可撓部
２２      隙間
【図１】
0003782138.tif 000002
【図２】
0003782138.tif 000003
【図３】
0003782138.tif 000004
【図４】
0003782138.tif 000005